(57)【特許請求の範囲】
【請求項１】
ネットワークに接続された複数のコンピューターおよび複数のプロジェクターを備えたプロジェクターシステムであって、
前記複数のコンピューターのそれぞれは、前記ネットワークに接続された任意のプロジェクターに対して接続要求を行う接続要求部を備え、
前記複数のプロジェクターのそれぞれは、自装置が属するグループ内の各プロジェクターの装置ＩＤを含むグループ情報を取得するグループ情報取得部と、任意の前記コンピューターから接続要求を受けたとき、前記グループ情報を参照し、前記グループ内の前記各プロジェクターのうち、自装置以外のプロジェクターに対して、前記任意のコンピューターとの接続を要求する接続要求部と、を備えたことを特徴とするプロジェクターシステム。
【請求項２】
前記複数のコンピューターのうち少なくとも１のコンピューターは、前記ネットワークに接続された任意の複数のプロジェクターをグループ化して前記グループ情報を生成するグループ情報生成部を、さらに備え、
前記各プロジェクターは、前記１のコンピューターから前記グループ情報を取得することを特徴とする請求項１に記載のプロジェクターシステム。
【請求項３】
前記各プロジェクターは、前記グループ情報を記憶するグループ情報記憶部と、
前記任意のコンピューターからの接続要求を受けたとき、前記グループ情報記憶部に前記グループ情報が記憶されているか否かを判別するグループ情報判別部と、
前記グループ情報判別部により前記グループ情報が記憶されていないと判別された場合であって、前記接続要求によって前記自装置を含む前記複数のプロジェクターがグループ化された場合、当該グループ内の前記各プロジェクターの装置ＩＤ、および前記接続要求を行ったコンピューターの装置ＩＤを、前記グループ情報として生成するグループ情報生成部とを、さらに備え、
前記グループ情報記憶部は、前記グループ情報生成部により生成された前記グループ情報を記憶することを特徴とする請求項１に記載のプロジェクターシステム。
【請求項４】
前記グループ情報判別部により前記グループ情報が記憶されていると判別された場合、
前記任意のコンピューターが接続要求を行っている他のプロジェクターが存在するか否かを判別する接続要求判別部をさらに備え、
前記接続要求部は、前記接続要求判別部により前記他のプロジェクターが存在すると判別された場合、当該他のプロジェクターに対しては接続要求を行わないことを特徴とする請求項３に記載のプロジェクターシステム。
【請求項５】
前記各コンピューターは、前記グループ内の前記任意のプロジェクターに対して接続切断要求を行う切断要求部をさらに備え、
前記各プロジェクターは、前記任意のコンピューターから接続切断要求を受けたとき、
前記グループ内の各コンピューターのうち、当該接続切断要求を受けていないコンピューターに対して、自装置との接続切断を要求する切断要求部をさらに備えたことを特徴とする請求項１に記載のプロジェクターシステム。
【請求項６】
前記各プロジェクターは、前記任意のコンピューターから接続切断要求を受けたとき、
前記グループ内の前記各プロジェクターのうち、前記自装置以外のプロジェクターに対して、自装置の装置ＩＤを除いたグループ情報を送信するグループ情報送信部をさらに備えたことを特徴とする請求項５に記載のプロジェクターシステム。
【請求項７】
ネットワークに接続された複数のコンピューターおよび複数のプロジェクターの間の接続を確立する接続確立方法であって、
前記複数のコンピューターのうちの任意のコンピューターが、前記複数のプロジェクターのうちの任意のプロジェクターに対して接続要求を行う接続要求ステップと、
前記複数のプロジェクターのそれぞれが、自装置が属するグループ内の各プロジェクターの装置ＩＤを含むグループ情報を取得するグループ情報取得ステップと、
前記任意のプロジェクターが、任意のコンピューターから接続要求を受けたとき、前記グループ情報を参照し、前記グループ内の各プロジェクターのうち、自装置以外のプロジェクターに対して、前記任意のコンピューターとの接続を要求する接続要求ステップと、
を実行することを特徴とする接続確立方法。
【発明の詳細な説明】
【技術分野】
【０００１】
本発明は、ネットワークに接続されたコンピューターと複数のプロジェクターとの間で接続を確立するプロジェクターシステムおよび接続確立方法に関する。
【背景技術】
【０００２】
従来、この種のプロジェクターシステムとして、単一のコンピューター（制御装置）とネットワークを介して接続された複数のプロジェクターに対し、コンピューターから同期制御を行うことで、複数のプロジェクターから同一の投写画像を一斉に投写する制御システムが知られている（特許文献１参照）。この制御システムは、コンピューターに設けられたプロジェクター管理部によりコンピューターに接続された複数のプロジェクターを検出および登録して、同期制御する複数のプロジェクターを認識する。
【先行技術文献】
【特許文献】
【０００３】
【特許文献１】特開２００６−００３９０３号公報
【発明の概要】
【発明が解決しようとする課題】
【０００４】
ところで、例えば大規模な会議やプレゼンテーションにおいて複数のプロジェクターから同時投写する場合、複数の発表者が個々のコンピューターを使用して順に発表（同時投写）したいという要望がある。しかし、上記の制御システムでは、複数のコンピューターから、同じ複数のプロジェクターに同時投写させる場合、コンピューター毎に当該複数のプロジェクターを検索および登録しなければならないため、接続に手間がかかるという問題があった。
【０００５】
本発明は、上記の点に鑑み、任意のコンピューターを、複数のプロジェクターに対して容易に接続可能にするプロジェクターシステムおよび接続確立方法を提供することを課題としている。
【課題を解決するための手段】
【０００６】
本発明のプロジェクターシステムは、ネットワークに接続された複数のコンピューターおよび複数のプロジェクターを備えたプロジェクターシステムであって、複数のコンピューターのそれぞれは、ネットワークに接続された任意のプロジェクターに対して接続要求を行う接続要求部を備え、複数のプロジェクターのそれぞれは、自装置が属するグループ内の各プロジェクターの装置ＩＤを含むグループ情報を取得するグループ情報取得部と、任意のコンピューターから接続要求を受けたとき、グループ情報を参照し、グループ内の各プロジェクターのうち、自装置以外のプロジェクターに対して、コンピューターとの接続を要求する接続要求部と、を備えたことを特徴とする。
【０００７】
本発明の接続確立方法は、ネットワークに接続された複数のコンピューターおよび複数のプロジェクターの間の接続を確立する接続確立方法であって、複数のコンピューターのうちの任意のコンピューターが、複数のプロジェクターのうちの任意のプロジェクターに対して接続要求を行う接続要求ステップと、複数のプロジェクターのそれぞれが、自装置が属するグループ内の各プロジェクターの装置ＩＤを含むグループ情報を取得するグループ情報取得ステップと、任意のプロジェクターが、任意のコンピューターから接続要求を受けたとき、グループ情報を参照し、前記グループ内の各プロジェクターのうち、自装置以外のプロジェクターに対して、前記任意のコンピューターとの接続を要求する接続要求ステップと、を実行することを特徴とする接続確立方法。
【０００８】
これらの構成によれば、コンピューターは、グループ化されている複数のプロジェクターのうち、任意の１台のプロジェクターに接続要求を行うだけで、自動的にグループ内の全てのプロジェクターに接続することができる。これにより、コンピューターが、複数のプロジェクターに対して同時投写を行う場合、各プロジェクターに対して検索、指定および接続要求を行う必要が無いため、迅速且つ容易に複数のプロジェクターに接続することができる。
【０００９】
この場合、複数のコンピューターのうち少なくとも１のコンピューターは、ネットワークに接続された任意の複数のプロジェクターをグループ化してグループ情報を生成するグループ情報生成部を、さらに備え、各プロジェクターは、１のコンピューターからグループ情報を取得することが好ましい。
【００１０】
この構成によれば、コンピューターが、ネットワークに接続されたプロジェクターのうち、所望のプロジェクターを選択してグループ化することができる。また、プロジェクターは、コンピューターからグループ情報を取得することで、当該コンピューターがネットワークに接続されたどのプロジェクターに接続しているかを認識することができる。なお、プロジェクターのグループ情報の取得は、グループ情報を生成したコンピューターから接続要求を受けた際に同時に取得しても良いし、接続要求を受ける前に予め取得しておいても良い。
【００１１】
また、各プロジェクターは、任意のコンピューターから接続要求を受けたとき、自装置以外のプロジェクターに対して、グループ情報を送信するグループ情報送信部を、さらに備えていることが好ましい。
【００１２】
この構成によれば、グループ内のすべてのプロジェクターにおいて、最新のグループ情報を共有することができる。すなわち、コンピューターによってグループに新たなプロジェクターが追加されて当該プロジェクターが接続要求を受けたとき、自装置以外のプロジェクターに、自装置の装置ＩＤが含まれた最新のグループ情報を送信することで、当該プロジェクターがグループに追加されたことをグループ内で認識させることができる。言い換えれば、この構成により、既に形成されたグループの接続を維持したまま、新たなプロジェクターを当該接続に追加することができる。
【００１３】
また、グループ情報には、グループ内の各コンピューターの装置ＩＤが含まれ、各プロジェクターの接続要求部は、任意のコンピューターから接続要求を受けたとき、グループ情報を参照し、グループ内の各コンピューターのうち、当該接続要求を受けたコンピューター以外のコンピューターに対して、自装置との接続を要求することが好ましい。
【００１４】
この構成によれば、グループ内に複数のコンピューターが存在していた場合、任意の１のコンピューターから所望のプロジェクターに対して接続要求を行うだけで、グループ内のすべてのコンピューターと当該所望のプロジェクターとの接続を確立することができる。特に、任意の１のコンピューターが属するグループに新たなプロジェクターが追加された場合（任意の１のコンピューターと当該プロジェクターとの接続が確立された場合）、自動的にその他のコンピューターと当該プロジェクターとの接続が確立されると共に、当該プロジェクターがグループに追加されたことをその他のコンピューターに認識させることができる。すなわち、この構成により、既に形成されているグループの接続を維持したまま、新たなプロジェクターを当該接続に追加することができる。なお、この場合、その他のコンピューターに接続要求を行うと共に、グループ情報を送信しても良い。
【００１５】
この場合、各プロジェクターは、グループ情報を記憶するグループ情報記憶部と、任意のコンピューターからの接続要求を受けたとき、グループ情報記憶部にグループ情報が記憶されているか否かを判別するグループ情報判別部と、グループ情報判別部によりグループ情報が記憶されていないと判別された場合であって、接続要求によって自装置を含む複数のプロジェクターがグループ化された場合、当該グループ内の各プロジェクターの装置ＩＤ、および接続要求を行ったコンピューターの装置ＩＤを、グループ情報として生成するグループ情報生成部とを、さらに備え、グループ情報記憶部は、グループ情報生成部により生成されたグループ情報を記憶することが好ましい。
【００１６】
この構成によれば、一度、任意の１台のコンピューターから複数のプロジェクターに接続要求を行えば、そのグループ情報をプロジェクターに記憶させておくことができる。これにより、２台目以降に接続しようとするコンピューターは、グループ内の１台のプロジェクターに対してのみ接続要求を行えば、グループ内の全てのプロジェクターに接続ができ、他のプロジェクターに接続要求をする工程を省くことができる。また、各プロジェクターに予めグループ情報を記憶させておく必要がないため、最初の１台のコンピューターからの接続要求時に、同時投写させたい複数のプロジェクターを自由に選択することができる。
【００１７】
この場合、グループ情報判別部によりグループ情報が記憶されていると判別された場合、任意のコンピューターが接続要求を行っている他のプロジェクターが存在するか否かを判別する接続要求判別部をさらに備え、接続要求部は、接続要求判別部により他のプロジェクターが存在すると判別された場合、当該他のプロジェクターに対しては接続要求を行わないことが好ましい。
【００１８】
この構成によれば、プロジェクターは、自装置に接続要求を行ったコンピューターがグループ内の他のプロジェクターに対しても同時に接続要求している場合は、他のプロジェクターに対して接続要求しないため、重複した接続要求を防ぐことができる。
【００１９】
一方、各コンピューターは、グループ内の任意のプロジェクターに対して接続切断要求を行う切断要求部をさらに備え、各プロジェクターは、任意のコンピューターから接続切断要求を受けたとき、グループ内の各コンピューターのうち、当該接続切断要求を受けていないコンピューターに対して、自装置との接続切断を要求する切断要求部をさらに備えていることが好ましい。
【００２０】
この構成によれば、グループ内に複数のコンピューターが存在していた場合、任意の１のコンピューターから所望のプロジェクターに対して接続切断要求を行うだけで、グループ内のすべてのコンピューターと当該所望のプロジェクターとの接続を切断することができる。
【００２１】
また、各コンピューターは、任意のプロジェクターに対して接続切断要求を行う切断要求部をさらに備え、各プロジェクターは、任意のコンピューターから接続切断要求を受けたとき、グループ内の各プロジェクターのうち、自装置以外のプロジェクターに対して、グループ内の各プロジェクターのうち、自装置以外のプロジェクターに対して、コンピューターとの接続切断を要求する切断要求部をさらに備えていることが好ましい。
【００２２】
この構成によれば、コンピューターは、グループ化されている複数のプロジェクターのうち、任意の１台のプロジェクターに接続切断要求を行うだけで、自動的にグループ内のすべてのプロジェクターと接続を切断することができる。なお、グループに複数のコンピューターが接続されていた場合、切断要求を行ったコンピューター以外のコンピューターと複数のプロジェクターとの接続は維持されるため、グループの接続を維持したまま、所望のコンピューターのみを切断することが可能となる。
【００２３】
これらの場合、各プロジェクターは、任意のコンピューターから接続切断要求を受けたとき、グループ内の前記各プロジェクターのうち、自装置以外のプロジェクターに対して、自装置の装置ＩＤを除いたグループ情報を送信するグループ情報送信部をさらに備えていることが好ましい。
【００２４】
この構成によれば、任意のプロジェクターが接続切断要求を受けたとき、グループ内のすべてのプロジェクターにおいて、最新のグループ情報を共有することができる。すなわち、自装置の装置ＩＤを除いた最新のグループ情報を、自装置以外のプロジェクターに送信することで、当該プロジェクターがグループから切断されたことをグループ内で認識させることができる。言い換えれば、この構成により、既に形成されたグループの接続を維持したまま、任意のプロジェクターを当該接続から切断することができる。
【００２５】
上記のプロジェクターシステムにおいて、各コンピューターは、グループ情報を不揮発に記憶するグループ情報記憶部と、グループ情報記憶部に記憶されたグループ情報を読み出して表示する表示部と、をさらに備えていることが好ましい。
【００２６】
この構成によれば、コンピューターを操作するユーザーは、このグループ情報を参考にして接続するプロジェクターを選択することができる。なお、表示部は、グループ情報に含まれる装置ＩＤのうち、現在接続可能な装置の装置ＩＤと接続不可能な装置の装置ＩＤとを区別可能に表示することが望ましい。
【００２７】
上記のプロジェクターシステムにおいて、各プロジェクターのグループ情報記憶部は、グループ情報を不揮発に記憶し、各コンピューターは、各プロジェクターのグループ情報記憶部に記憶されたグループ情報を読み出すグループ情報読み出し部を、さらに備えていることが好ましい。
【００２８】
この構成によれば、コンピューターを任意の１のプロジェクターに接続し当該１のプロジェクターからグループ情報を読み出すことによって、このグループ情報を利用して、その他のプロジェクターに接続要求を行うことができる。
【００２９】
上記のプロジェクターシステムにおいて、コンピューターは、ネットワークに接続された自装置以外の装置が形成するグループのグループ情報を取得するグループ情報取得部を、さらに備えていることが好ましい。
【００３０】
この構成によれば、コンピューターが、自装置以外の装置が形成するグループのグループ情報を確認することが出来る。
【図面の簡単な説明】
【００３１】
【図１】プロジェクターシステムの接続構成を示す図である。
【図２】コンピューターの制御構成を示すブロック図である。
【図３】コンピューターのグループ情報記憶部の記憶内容を示す図である。
【図４】第１実施形態にかかるプロジェクターの制御構成を示すブロック図である。
【図５】（ａ）は、単一のプロジェクターとの接続操作をする際のコンピューター画面の一例であり、（ｂ）は、複数のプロジェクターをグループ化操作する際のコンピューター画面の一例であり、（ｃ）は、複数のプロジェクターをグループ化操作した後のコンピューター画面の一例である。
【図６】（ａ）は、グループ接続を行った後のコンピューター画面の一例であり、（ｂ）は、メニュー画面を表示したコンピューター画面の一例である。
【図７】（ａ）は、グループ接続にプロジェクターを追加する際のコンピューター画面の一例であり、（ｂ）は、グループ接続からプロジェクターを切断する際のコンピューター画面の一例であり、（ｃ）は、グループ接続からコンピューターを切断する際のコンピューター画面の一例である。
【図８】（ａ）は、グループ接続する際の各装置の動作を示した図であり、（ｂ）は、グループ接続にコンピューターを追加する際の各装置の動作を示した図である。
【図９】グループ接続に新たなプロジェクターを追加する際の各装置の動作を示した図である。
【図１０】グループ接続からプロジェクターを切断する際の各装置の動作を示した図である。
【図１１】グループ接続からコンピューターを切断する際の各装置の動作を示した図である。
【図１２】グループ接続解除の際の各装置の動作を示した図である。
【図１３】（ａ）は、グループ接続を解除した後に表示されるコンピューター画面の一例であり、（ｂ）は、保存したグループ情報を利用して次回のグループ接続を行う際のコンピューター画面の一例であり、（ｃ）は、プロジェクターに記憶されたグループ情報を読み出した際のコンピューター画面の一例である。
【図１４】第２実施形態にかかるプロジェクターの制御構成を示したブロック図である。
【図１５】プロジェクターの接続処理を示すフローチャートである。
【図１６】（ａ）は、図１５のＣＡＳＥ１における装置間の接続動作を示す図であり、（ｂ）は、図１５のＣＡＳＥ２における装置間の接続動作を示す図であり、（ｃ）は、図１５のＣＡＳＥ３における装置間の接続動作を示す図であり、（ｄ）は、図４のＣＡＳＥ４における装置間の接続動作を示す図である。
【図１７】プロジェクターの接続切断処理を示すフローチャートである。
【図１８】プロジェクターのグループ情報の消去処理を示すフローチャートである。
【図１９】（ａ）は、図１７のＣＡＳＥ５における装置間の接続切断動作を示す図であり、（ｂ）は、図１７のＣＡＳＥ６における装置間の接続切断動作を示す図であり、（ｃ）は、図１７のＣＡＳＥ７における装置間の接続切断動作を示す図である。
【発明を実施するための形態】
【００３２】
［第１実施形態］
以下、添付の図面を参照し、本発明の第１実施形態にかかるプロジェクターシステムについて説明する。図１に示すように、プロジェクターシステムＳＹは、複数のコンピューターＰＣ１，ＰＣ２と複数のプロジェクターＰＪ１，ＰＪ２，ＰＪ３とが、ネットワークを介して相互に通信可能となって構成されている。プロジェクターシステムＳＹは、このようにネットワークに接続された状態において、各コンピューターＰＣ１，ＰＣ２からの出力画像をグループ化された複数のプロジェクターＰＪ１，ＰＪ２，ＰＪ３によって同時投写すべく、任意のコンピューターＰＣと当該複数のプロジェクターＰＪ１，ＰＪ２，ＰＪ３との接続を確立する。以下、複数のプロジェクターＰＪ１，ＰＪ２，ＰＪ３がグループ化され、確立された接続を「グループ接続」と称す。なお、ネットワークＮＷは、インターネットやローカルネットワークを介したものが考えられ、接続の形態は、無線の通信回線でもよいし、ケーブル等を使用した有線の通信回線でもよい。
【００３３】
本実施形態では、コンピューターＰＣ１またはＰＣ２が、ネットワークに接続された任意の複数のプロジェクターＰＪ１，ＰＪ２，ＰＪ３をグループ化して、グループ情報を生成する。グループ情報とは、主に当該グループのグループ名と当該グループに属する装置の装置ＩＤとで構成される（図３参照）。装置ＩＤとは、ネットワークＮＷに接続された装置が互いを認識するためのものであり、本実施形態では、装置名を装置ＩＤとして説明を進める。例えば、コンピューターＰＣ１の装置ＩＤは、「ＰＣ１」となる。
【００３４】
図２は、コンピューターＰＣ１の機能構成を示したブロック図である。なお、コンピューターＰＣ２も同様の機能構成を有しているものとし、説明を省略する。コンピューターＰＣ１は、一般的なパーソナルコンピューターを適用可能であり、図示のように、通信部１、制御部２、記憶部３、表示部４、および操作部５を備えている。通信部１は、主にネットワーク・インターフェースにより実現され、ネットワークＮＷに接続された自装置以外の装置と通信を行う。制御部２は、主にＣＰＵ、ＲＡＭ、およびＲＯＭにより実現され、コンピューターＰＣ１を統括制御する。記憶部３は、ＲＯＭまたはＨＤＤにより実現され、同時投写する複数のプロジェクターＰＪ１，ＰＪ２，ＰＪ３との接続確立に関する各情報を記憶している。表示部４は、ディスプレイにより実現され、複数のプロジェクターＰＪ１，ＰＪ２，ＰＪ３への接続操作に関する画面（図５ないし図７、および図１２参照）を表示する。操作部５は、キーボードやマウスによって実現され、ユーザーが複数のプロジェクターＰＪ１，ＰＪ２，ＰＪ３への接続操作を行うためのものである。
【００３５】
通信部１は、接続要求部１１、切断要求部１２、グループ情報送信部１３、グループ情報取得部１４、および画像データ出力部１５を備えている。なお、請求項における「グループ情報読み出し部」とは、グループ情報取得部により実現される。
【００３６】
接続要求部１１は、ネットワークＮＷに接続された任意のプロジェクターＰＪ１，ＰＪ２，ＰＪ３に対して接続要求を行う。切断要求部１２は、コンピューターＰＣ１とグループ接続されている任意のプロジェクターＰＪ１，ＰＪ２，ＰＪ３に対して接続切断要求を行う。グループ情報送信部１３は、接続要求または切断要求を行ったプロジェクターＰＪ１，ＰＪ２，ＰＪ３に対して自装置が記憶する最新のグループ情報を送信する。グループ情報取得部１４は、グループ情報を有したプロジェクターＰＪ１，ＰＪ２，ＰＪ３またはコンピューターＰＣ２からグループ情報を取得する。画像データ出力部１５は、接続を確立したプロジェクターＰＪ１，ＰＪ２，ＰＪ３に対して、出力画像の画像データを出力する。
【００３７】
制御部２は、通信部１の通信制御を行う通信制御部１６と、表示部４の表示制御を行う表示制御部１７と、を備えている。
【００３８】
通信制御部１６は、主にネットワークＮＷに接続された任意のプロジェクターＰＪ１，ＰＪ２，ＰＪ３と接続するための接続アプリケーションにより実現され、コンピューターＰＣ１と任意のプロジェクターＰＪ１，ＰＪ２，ＰＪ３との接続および接続切断を制御する。また、通信制御部１６は、グループ化されたネットワークＮＷに接続された任意のプロジェクターＰＪ１，ＰＪ２，ＰＪ３を示すグループ情報を生成するグループ情報生成部１８を有している。グループ情報とは、当該グループのグループ名、当該グループに属するコンピューターＰＣの装置ＩＤ、および当該グループに属するプロジェクターＰＪの装置ＩＤで構成されている（図３参照）。グループ情報生成部１８は、例えば、プロジェクターＰＪ１，ＰＪ２がグループ化されてコンピューターＰＣ１とグループ接続した場合、プロジェクターＰＪ１，ＰＪ２の装置ＩＤと自装置の装置ＩＤとにグループ名（「グループＡ」）を付してグループ情報を生成する。なお、グループに属する装置が変化した場合は、それに伴ってグループ情報も変化する。すなわち、グループ情報は、どの装置によりグループ接続されているのかを示す情報である。なお、グループ情報の更新については、後に詳述する。
【００３９】
記憶部３は、グループ情報を記憶するグループ情報記憶領域１９と、接続を確立したプロジェクターＰＪ１，ＰＪ２，ＰＪ３に対して出力する出力画像の画像データを記憶する出力画像データ記憶領域２０と、表示部４に表示する表示画面の画面データを記憶する表示画面データ記憶領域２１と、を有している。
【００４０】
図３は、グループ情報記憶領域１９の記憶内容を示している。図示のように、グループ情報記憶領域１９は、グループ情報生成部１８により生成されたグループ情報を、グループ情報の生成日時順に記憶する。また、グループ情報記憶領域１９は、グループ情報を書き換え不能かつ不揮発に記憶する。グループ情報記憶領域１９に記憶されたグループ情報は、過去のグループ情報として、次回以降の接続に利用される。このグループ情報の利用についても、後に詳述する。
【００４１】
図４は、プロジェクターＰＪ１の制御構成を示したブロック図である。なお、プロジェクターＰＪ２およびＰＪ３も同様の構成を有しているものとし、説明を省略する。図示のように、プロジェクターＰＪ１は、通信部３１、グループ情報記憶部３２、画像処理部３３、中央制御部３４、操作部３５、投写制御部３６、および投写光学系３７を備えている。
【００４２】
通信部３１は、ネットワークＮＷに接続された自装置以外の装置と通信を行うものであり、画像データ取得部４１、接続要求部４２、切断要求部４３、グループ情報送信部４４、およびグループ情報取得部４５を有している。画像データ取得部４１は、コンピューターＰＣ１，ＰＣ２から出力画像データを取得する。接続要求部４２は、ネットワークＮＷに接続された自装置以外の装置に対して接続要求を行う。切断要求部４３は、グループ接続しているネットワークＮＷに接続された自装置以外の装置に対して接続切断要求を行う。グループ情報送信部４４は、ネットワークＮＷに接続された自装置以外の装置に対して自装置が記憶する最新のグループ情報を送信する。グループ情報取得部４５は、グループ情報を有したプロジェクターＰＪ１，ＰＪ２，ＰＪ３またはコンピューターＰＣ２からグループ情報を取得する。
【００４３】
グループ情報記憶部３２は、取得したグループ情報を書き換え可能に記憶する。また、グループに属していないコンピューターＰＣから接続要求を受けた場合は、グループ情報に当該コンピューターＰＣの装置ＩＤを追加して記憶する。一方、グループに属するコンピューターＰＣから接続切断要求を受けた場合は、グループ情報から当該コンピューターＰＣの装置ＩＤを削除して記憶部する。
【００４４】
中央制御部３４は、プロジェクターＰＪの全体を統括制御する。操作部３５は、ユーザーが各種設定および操作を行うためのものであり、プロジェクターＰＪ本体に備えられた操作パネルやリモコン（いずれも図示省略）により実現される。
【００４５】
画像処理部３３は、画像データ取得部４１により受信した画像データに対し、予め記憶されている画像処理プログラムに基づいて、所定の画像処理を実行する。所定の画像処理としては、キーストーン歪補正処理、画質調整処理、画像サイズ調整処理、ガンマ補正処理、画像合成処理等を行う。
【００４６】
投写制御部３６は、画像処理部３３により処理された画像を、後述する液晶ライトバルブ５４の各画素に対応する階調値を導出することにより、全画素の階調値からなる画像データを生成し、当該画像データに基づいて投写制御を行う。
【００４７】
投写光学系３７は、スクリーンＳＣ上に、画像を投写するものであり、ライトバルブ駆動部５１と、ランプ駆動部５２と、光源部５３と、３原色に対応した液晶ライトバルブ５４（５４Ｒ，５４Ｇ，５４Ｂ）と、投写レンズ５５と、を有する。各液晶ライトバルブ５４は、一対の透明基板間に液晶が封入された液晶パネル等によって構成される。各透明基板の内面には、液晶に対して微小領域毎に駆動電圧を印加可能な透明電極が、画素としてマトリクス状に形成されている。ライトバルブ駆動部５１は、液晶ライトバルブ５４の各画素に、画像データに応じた駆動電圧を印加することにより、各画素の光透過率を設定する。つまり、光源部５３から射出された照明光は、不図示の光分離光学系によって、Ｒ，Ｇ，Ｂの色光に分離された後、各色用の液晶ライトバルブ５４を透過することによって変調される。また、変調された画像光は、不図示の光合成光学系（ダイクロイックプリズムなど）により画素毎に合成されてカラー画像化され、当該カラー画像化された画像光が投写レンズ５５によって投写されることにより、スクリーンＳＣ上にカラー画像が写し出される。なお、光源部５３としては、超高圧水銀ランプ、メタルハライドランプ、キセノンランプ等を採用可能である。また、これら放電発光型のランプに限らず、発光ダイオード、有機ＥＬ素子、シリコン発光素子、レーザーダイオード等の各種自己発光素子を採用しても良い。
【００４８】
続いて、図５ないし図１３を参照して、プロジェクターシステムＳＹの接続確立方法について説明する。図５ないし図７は、接続時および切断時のコンピューターＰＣ１の表示画面を示すものである。図５は、コンピューターＰＣ１によりプロジェクターＰＪ１，ＰＪ２をグループ化して接続を確立する際に表示部４に表示された接続画面の一例を示している。同図（ａ）に示すように、ネットワークに接続されたプロジェクターＰＪ１，ＰＪ２が、接続可能なプロジェクターとして検索され、表示されている。この画面においてプロジェクターＰＪ１，ＰＪ２（複数のプロジェクター）が選択された場合、画面下部に同図（ｂ）に示すように、グループ化ボタン７２が出現する。このグループ化ボタン７２が押下されると、同図（ｃ）に示すように、画面下部の「接続プロジェクターリスト」において「グループＡ」が表示される。そして、接続ボタン７１が押下されると、プロジェクターＰＪ１，ＰＪ２がグループ化され、コンピューターＰＣ１との接続が確立される。その後、コンピューターＰＣ１は、操作部５の操作に応じて記憶部３に記憶した出力画像データをプロジェクターＰＪ１，ＰＪ２に送信し、プロジェクターＰＪ１，ＰＪ２により画像が投写される。
【００４９】
図６（ａ）は、図５（ｃ）において接続ボタン７１が押下された場合に、コンピューターＰＣ１の表示部４に表示される画面である。画面上部には、グループ化されたプロジェクターＰＪ１，ＰＪ２が表示されている。一方、画面中央には、接続を確立しているコンピューターＰＣ１を示すユーザー名「Ｕｓｅｒ１」が表示され、その右方には、メニューボタン７３が表示されている。画面下部には、ネットワークＮＷに接続されたコンピューターＰＣ１、ＰＣ２を示すユーザー名「Ｕｓｅｒ１」、「Ｕｓｅｒ２」が表示されている。同図（ｂ）に示すように、同図（ａ）においてメニューボタン７３が押下されると、メニューボタン７３の上部にサブウィンドウ形式でメニュー画面７４が表示される。メニュー画面７４には、選択項目として、現在確立している接続に新たに任意のプロジェクターＰＪを追加する「プロジェクター追加」、現在確立している接続から任意のプロジェクターＰＪを切断する「プロジェクター切断」、現在確立している接続から任意のコンピューターＰＣを切断する「ＰＣ切断」、およびメニュー画面７４の表示を終了する「閉じる」が表示される。
【００５０】
図７（ａ）は、メニュー画面７４の選択項目のうち、「プロジェクター追加」が選択された場合の表示画面を示している。図示のように、現在グループ接続されているプロジェクターＰＪ１，ＰＪ２に加え、ネットワークに接続されたプロジェクターＰＪ３が、接続可能なプロジェクターとして新たに検索・表示され、画面右下には、追加ボタン７５が表示される。この画面において、プロジェクターＰＪ３が選択され、追加ボタン７５が押下されると、グループにプロジェクターＰＪ３が追加され、コンピューターＰＣ１とプロジェクターＰＪ１，ＰＪ２，ＰＪ３との接続が確立される。その後、コンピューターＰＣ１は、操作部５の操作に応じて記憶部３に記憶した出力画像データをプロジェクターＰＪ１，ＰＪ２，ＰＪ３に送信し、プロジェクターＰＪ１，ＰＪ２，ＰＪ３により画像が投写される。
【００５１】
図７（ｂ）は、コンピューターＰＣ１およびプロジェクターＰＪ１，ＰＪ２，ＰＪ３がグループ接続されている場合に、メニュー画面７４の選択項目のうち、「プロジェクター切断」が選択された場合の表示画面を示している。図示のように、現在グループ接続されているプロジェクターＰＪ１，ＰＪ２，ＰＪ３が表示され、画面右下には、切断ボタン７６が表示される。この画面において、例えば、プロジェクターＰＪ３が選択され、切断ボタン７６が押下されると、グループからプロジェクターＰＪ３が除かれ、確立されている接続からプロジェクターＰＪ３が切断される。
【００５２】
図７（ｃ）は、コンピューターＰＣ１、ＰＣ２およびプロジェクターＰＪ１，ＰＪ２，ＰＪ３がグループ接続されている場合に、メニュー画面７４の選択項目のうち、「ＰＣ切断」が選択された場合の表示画面を示している。図示のように、現在接続されているコンピューターＰＣ１，ＰＣ２を示すＵｓｅｒ１，Ｕｓｅｒ２が表示され、画面右下には、切断ボタン７６が表示される。この画面において、例えば、コンピューターＰＣ１が選択され、切断ボタン７６が押下されると、グループからコンピューターＰＣ１が除かれ、確立されている接続からコンピューターＰＣ１が切断される。本実施形態では、このように自装置以外のコンピューターＰＣに対して切断操作を行うことができる。これによれば、自装置以外のコンピューターＰＣの切断のし忘れなどに対応することができ、トラフィック管理を行うことができる。また、すべてのコンピューターＰＣ１，ＰＣ２を選択して切断操作することで、確立されている接続の全切断、すなわちグループ接続の解除を行うことができる。これによれば、任意の１のコンピューターＰＣ１による操作のみで、接続の全切断を行うことができるため、多数のコンピューターＰＣおよびプロジェクターＰＪが接続されている場合に利便性が良い。なお、メニュー画面７４に、グループ接続の解除を行うための項目を追加しても良い。
【００５３】
図８ないし図１２は、プロジェクターシステムＳＹの接続処理および切断処理における各装置の動作を示すものである。図８（ａ）は、コンピューターＰＣ１とプロジェクターＰＪ１，ＰＪ２とがグループ接続する際の、各装置の動作を示している。コンピューターＰＣ１は、ネットワークＮＷに接続されたプロジェクターＰＪ１，ＰＪ２をグループ化して、グループ情報を生成する。この場合のグループ情報は、図示のように「グループＡ：ＰＣ１，ＰＪ１，ＰＪ２」となる。そして、コンピューターＰＣ１は、プロジェクターＰＪ１，ＰＪ２に対して接続要求およびグループ情報を送信する。接続要求およびグループ情報を受信したプロジェクターＰＪ１，ＰＪ２は、それぞれコンピューターＰＣ１に対して接続完了通知を送信して、コンピューターＰＣ１とプロジェクターＰＪ１，ＰＪ２との接続が確立される。なお、例えば、ＰＪ２との接続に失敗した場合には、接続要求を送信したＰＣ１からＰＪ２に新しいグループ情報「グループＡ：ＰＣ１，ＰＪ１」を送信する。
【００５４】
図８（ｂ）は、図８（ａ）において確立されたグループ接続に、新たなコンピューターＰＣ２を追加する際の、各装置の動作を示している。この場合、グループ接続されているコンピューターＰＣ１およびプロジェクターＰＪ１，ＰＪ２がグループ情報を保持していることになる。コンピューターＰＣ２は、グループ内の任意の１のプロジェクターＰＪ１に接続要求を送信する。接続要求を受けたプロジェクターＰＪ１は、コンピューターＰＣ２に対して接続完了通知を送信すると共に、保持しているグループ情報を送信する。このとき、プロジェクターＰＪ１が保持しているグループ情報にコンピューターＰＣ２の装置ＩＤ、ＰＣ２を追加して、コンピューターＰＣ１に送信する。そして、プロジェクターＰＪ１は、保持しているグループ情報を参照し、グループに属する自装置以外のプロジェクターＰＪ２に対して、コンピューターＰＣ２との接続要求を送信する。接続要求をうけたプロジェクターＰＪ２は、接続要求に従いコンピューターＰＣ２に接続完了通知を送信する。このとき、プロジェクターＰＪ２は、自身の保持しているグループ情報にコンピューターＰＣ２の装置ＩＤを追加する。さらに、プロジェクターＰＪ１は、コンピューターＰＣ１に対してコンピューターＰＣ２が追加されたグループ情報を送信する。
【００５５】
このように、コンピューターＰＣ２からグループ内の任意の１のプロジェクターＰＪ１に接続要求を行うだけで、新たなコンピューターＰＣ２をグループ接続に追加することができる。また、接続要求を受けたプロジェクターＰＪ１が他のプロジェクターＰＪ２に対して接続要求を送信すると共に、コンピューターＰＣ１に対してコンピューターＰＣ２が追加されたグループ情報を送信するため、グループ内の装置に、現在のグループを構成する全装置が反映された最新のグループ情報を保持させることができる。
【００５６】
図９は、グループ接続に新たなプロジェクターＰＪ３を追加する際の各装置の動作を示したものである。この場合、グループ接続しているコンピューターＰＣ１，ＰＣ２およびプロジェクターＰＪ１，ＰＪ２がグループ情報を保持している。先ず、コンピューターＰＣ１が、追加するプロジェクターＰＪ３に対して接続要求を送信すると共に、プロジェクターにＰＪ３の装置ＩＤを追加したグループ情報を送信する。接続要求を受けたプロジェクターＰＪ３は、コンピューターＰＣ１に対して接続完了通知を送信する。また、プロジェクターＰＪ３は、コンピューターＰＣ１から受け取ったグループ情報を参照して、コンピューターＰＣ２に対して自装置との接続要求を送信する。接続要求を受けたコンピューターＰＣ２は、プロジェクターＰＪ３に対して接続完了通知を送信する。このとき、コンピューターＰＣ２は、自身の保持しているグループ情報にプロジェクターＰＪ３の装置ＩＤを追加してもよいし、プロジェクターＰＪ３が接続要求と共に、グループ情報をコンピューターＰＣ２に送信しても良い。そして、さらにプロジェクターＰＪ３は、グループ情報を参照して、グループに属する自装置以外のプロジェクターＰＪ１，ＰＪ２に対してプロジェクターＰＪ３が追加されたグループ情報を送信する。
【００５７】
これによれば、グループ接続の接続状態を維持したまま、任意のプロジェクターＰＪをグループ接続に追加することができる。また、任意の１のコンピューターＰＣ１から所望のプロジェクターＰＪ３に接続要求を行うだけで、グループ内のすべてのコンピューターＰＣと接続を行うことができる。また、追加されたプロジェクターＰＪ３が、グループ内の自装置以外の装置に最新のグループ情報を送信することで、グループ接続にプロジェクターＰＪ３が追加されたことを全装置が認識することができる。
【００５８】
図１０は、確立されたグループ接続から、任意のプロジェクターＰＪ１を切断する際の各装置の動作を示している。この場合、グループ接続しているコンピューターＰＣ１，ＰＣ２およびプロジェクターＰＪ１，ＰＪ２，ＰＪ３がグループ情報を保持している。先ず、コンピューターＰＣ１の切断要求部１２は、切断するプロジェクターＰＪ１に対して接続切断要求を送信する。接続切断要求を受けたプロジェクターＰＪ１は、コンピューターＰＣ１に対して切断完了通知を送信する。また、プロジェクターＰＪ１は、保持しているグループ情報を参照して、グループ内のコンピューターＰＣのうち、接続切断要求を受けていないコンピューターＰＣ２に対して接続切断要求を送信する。一方、接続切断要求を受けたコンピューターＰＣ２は、プロジェクターＰＪ１に対して切断完了通知を送信する。さらに、プロジェクターＰＪ１のグループ情報送信部４４は、グループ情報を参照して、グループ内の自装置以外のプロジェクターＰＪ２，ＰＪ３に対してプロジェクターＰＪ１を除いたグループ情報を送信する。
【００５９】
これによれば、グループ接続を保ったまま、任意のプロジェクターＰＪ１の接続を切断することができる。また、グループ内の任意の１のコンピューターＰＣ１の切断要求部１２から切断したいプロジェクターＰＪ１に接続切断要求を行うだけで、プロジェクターＰＪ１が接続しているグループ内のすべてのコンピューターＰＣとの接続を切断することができる。また、接続切断要求を受けたプロジェクターＰＪ１のグループ情報送信部４４が、プロジェクターＰＪ２，ＰＪ３に対して自装置を除いたグループ情報を送信することで、プロジェクターＰＪ２，ＰＪ３は、グループ接続からプロジェクターＰＪ１が切断されたことを認識することができる。
【００６０】
図１１は、グループ接続から任意のコンピューターＰＣ１を切断する際の各装置の動作を示したものである。この場合、グループ接続しているコンピューターＰＣ１，ＰＣ２およびプロジェクターＰＪ１，ＰＪ２，ＰＪ３がグループ情報を保持している。先ず、切断するコンピューターＰＣ１の切断要求部１２が、グループ内の任意のプロジェクターＰＪ１に対して接続切断要求を送信する。接続切断要求を受けたプロジェクターＰＪ１は、コンピューターＰＣ１に対して切断完了通知を送信する。さらに、プロジェクターＰＪ１のグループ情報送信部４４は、コンピューターＰＣ１を除いたグループ情報をコンピューターＰＣ２に対して送信する。また、保持しているグループ情報を参照して、グループ内の自装置以外のプロジェクターＰＪ２，ＰＪ３に対して、切断要求部４３からコンピューターＰＣ１との接続切断要求を送信する。一方、コンピューターＰＣ１との接続切断要求を受けたプロジェクターＰＪ２，ＰＪ３は、コンピューターＰＣ１に対して切断完了通知を送信する。
【００６１】
これによれば、グループ接続を維持したまま、任意のコンピューターＰＣ１の接続を切断することができる。また、切断したいコンピューターＰＣ１の切断要求部１２からグループ内の任意の１のプロジェクターＰＪ１に切断要求を行うだけで、コンピューターＰＣ１が接続しているグループ内のすべてのプロジェクターＰＪとの接続を切断することができる。また、切断要求を受けたプロジェクターＰＪ１のグループ情報送信部４４が、コンピューターＰＣ２に対してコンピューターＰＣ１を除いたグループ情報を送信することで、コンピューターＰＣ２は、グループ接続からコンピューターＰＣ１が切断されたことを認識することができる。
【００６２】
図１２は、グループ接続解除の際の各装置の動作を示したものである。このグループ接続解除は、図７（ｃ）に示すＰＣ切断画面において、全ＰＣを選択した場合に行われる処理である。この場合、グループ接続しているコンピューターＰＣ１，ＰＣ２およびプロジェクターＰＪ１，ＰＪ２，ＰＪ３がグループ情報を保持している。先ず、コンピューターＰＣ１の切断要求部１２は、グループ内の任意の１のプロジェクターＰＪ１に自装置およびコンピューターＰＣ２との接続切断要求を送信する。接続切断要求を受けたプロジェクターＰＪ１は、コンピューターＰＣ１，ＰＣ２に対して切断完了要求を送信する。また、プロジェクターＰＪ１の切断要求部４３は、保持しているグループ情報を参照して、グループ内の自装置以外のプロジェクターＰＪ２，ＰＪ３に対して、コンピューターＰＣ１，ＰＣ２との接続切断要求を送信する。一方、コンピューターＰＣ１，ＰＣ２との接続切断要求を受けたプロジェクターＰＪ２，ＰＪ３は、コンピューターＰＣ１，ＰＣ２に対して切断完了通知を送信する。
【００６３】
これによれば、グループ内の任意の１のコンピューターＰＣ１から、グループ内の任意の１のプロジェクターＰＪ１に対して接続切断要求を行うだけで、グループ接続を全解除することができる。
【００６４】
図１３（ａ）は、グループ接続を解除した後に表示される表示画面を示している。画面中央には、サブウィンドウ形式で、グループ情報の保存の有無を確認するメッセージ画面７７が表示される。メッセージ画面７７には、直前に確立されていたグループ接続のグループ情報を保存するか否かを問うメッセージと、回答を示す選択肢（「はい」、「いいえ」）が表示される。選択肢「はい」が選択されると、直前に確立されていたグループ接続のグループ情報が、記憶部３のグループ情報記憶領域１９に不揮発に記憶される。一方、選択肢「いいえ」が選択されると、グループ情報は保存せずに削除される。
【００６５】
図１３（ｂ）は、グループ情報をグループ情報記憶領域１９に記憶した場合の、次回のグループ接続の際に表示される表示画面である。当該画面には、前回確立されたグループ接続の情報を再現して表示される。なお、前回グループ接続していた装置の中で、ネットワークに接続がされていない、電源が入っていないなど、現在接続不可能な装置は、網掛表示される。また、前回のグループ接続を利用しない場合は、不図示の選択画面の操作によって図５（ａ）に示すような通常の接続画面が表示される。
【００６６】
これによれば、過去に確立したグループ接続のグループ情報をコンピューターＰＣが不揮発に記憶することにより、次回の接続の際に当該グループ情報を利用することができる。前回と同様の装置構成でグループ接続を行いたい場合などに、再度プロジェクターＰＪを検索する必要がなく、利便性が良い。なお、プロジェクターＰＪのグループ情報記憶部３２にグループ情報を不揮発に記憶して、次回接続の際、コンピューターＰＣがプロジェクターＰＪに記憶されたグループ情報を取得する構成としてもよい。この場合、図１３（ｃ）に示すように、プロジェクターＰＪが有するグループ情報に対応したプロジェクターリストが表示される。なお、プロジェクターＰＪはグループ情報を不揮発に記憶することが望ましい。
【００６７】
なお、コンピューターＰＣは、グループ接続の際に、現在自装置以外の装置が構成しているグループ情報を取得し、当該グループに属する装置を図１３（ｂ）と同様の形式で示す表示画面を表示してもよい。これによれば、グループ接続に参加する前に、当該グループ接続に参加している各装置、特にコンピューターＰＣを確認することができる。
【００６８】
また、上記の実施形態では、すべてコンピューターＰＣからの接続要求によって処理が開始されたが、グループ内のプロジェクターＰＪから任意のコンピューターＰＣに対して接続要求を行う構成としてもよい。
【００６９】
また、上記したような複数のコンピューターおよびプロジェクターから成るグループを複数形成し、主系コンピューターから各グループに属する任意の１のコンピューターに接続要求および各グループのグループ情報を送信する構成としてもよい。この場合、接続要求およびグループ情報を受信した各コンピューターは、自装置が属するグループの複数のプロジェクターに接続要求を行う。これによれば、主系コンピューターから各グループの任意の１のコンピューターに接続要求を行うだけで、複数のグループを形成する多数のプロジェクターとの接続を容易に確立することができる。
【００７０】
［第２実施形態］
以下、図１４ないし図１６を参照し、本発明の第２実施形態について説明する。なお、上記の第１実施形態と同様の構成については、同様の符号を付し、詳細な説明を省略する。
【００７１】
図１４は、本実施形態にかかるプロジェクターＰＪ１の構成を示すブロック図である。なお、プロジェクターＰＪ２，ＰＪ３は、いずれも同様の構成を備えている。同図に示すように、プロジェクターＰＪ１は、ネットワークＮＷに接続された自装置以外の装置と接続を確立する接続確立部６０、グループ情報記憶部３２、画像処理部３３、中央制御部３４、操作部３５、投写制御部３６および投写光学系３７を備えている。
【００７２】
接続確立部６０は、ネットワークＮＷに接続された自装置以外の装置と通信を行う通信部３１と、この通信を制御する通信制御部３８とを有している。
【００７３】
通信部３１は、ネットワークＮＷに接続された複数のコンピューターＰＣ（ＰＣ１，・・・，ＰＣｎ）と通信を行うＰＣ通信部３１ａと、自装置以外の複数のプロジェクターＰＪ（ＰＪ２，・・・，ＰＪｍ）と通信を行うＰＪ通信部３１ｂと、を有している。
【００７４】
ＰＣ通信部３１ａは、コンピューターＰＣから画像データを受信する画像データ取得部４１と、コンピューターＰＣと接続情報を送受信するＰＣ接続要求部４２ａと、切断情報を送受信するＰＣ接続切断要求部４３ａと、を有している。一方、ＰＪ通信部３１ｂは、自装置以外のプロジェクターＰＪと接続情報を送受信するＰＪ接続要求部４２ｂと、切断情報を送受信するＰＪ接続切断要求部４３ｂと、を有している。なお、接続情報は、接続要求、接続完了通知および装置ＩＤ、グループＩＤを含み、切断情報は、接続切断要求、切断完了通知および装置ＩＤ、グループＩＤを含んでいる。
【００７５】
画像データ取得部４１は、コンピューターＰＣから画像データを受信し、コンピューターＰＣから出力されたＲＧＢ信号を受信するインターフェースにより実現される。
【００７６】
ＰＣ接続要求部４２ａは、コンピューターＰＣから送信された装置ＩＤ「ＰＣ１」および接続要求を受信すると共に、コンピューターＰＣに対して自身の装置ＩＤ「ＰＪ１」および接続完了通知を送信する。また、コンピューターＰＣが複数のプロジェクターＰＪ（例えばＰＪ１、ＰＪ２、ＰＪ３）をグループ化して接続要求を送信している場合、ＰＣ接続要求部４２ａは、グループ化されたプロジェクターＰＪの装置ＩＤ「ＰＪ１」、「ＰＪ２」、「ＰＪ３」も受信する。
【００７７】
ＰＣ接続切断要求部４３ａは、コンピューターＰＣから送信された装置ＩＤ「ＰＣ１」および接続切断要求を受信すると共に、コンピューターＰＣに対して自身の装置ＩＤ「ＰＪ１」および切断完了通知を送信する。また、ＰＣ接続切断要求部４３ａは、後述する通信制御部３８からの指令に基づいて、接続状態にある他のコンピューターＰＣ（例えばＰＣ２）に対して、装置ＩＤ「ＰＪ１」および接続切断要求を送信する。
【００７８】
ＰＪ接続要求部４２ｂは、ＰＣ接続要求部４２ａにより、コンピューターＰＣから接続要求と共に複数のプロジェクターＰＪの装置ＩＤを受信した場合、通信制御部３８の指令に基づいて、ＩＤを受信した自装置以外のプロジェクターＰＪ（ＰＪ２、ＰＪ３）に対し、コンピューターＰＣの装置ＩＤ「ＰＣ１」および接続要求を送信する。反対に、自装置以外のプロジェクターＰＪから、コンピューターＰＣの装置ＩＤ「ＰＣ１」および接続要求を受信すると、ＰＪ接続要求部４２ｂは、受信した装置ＩＤ「ＩＤ」に対応するコンピューターＰＣ１に自身の装置ＩＤおよび接続完了通知を送信する。
【００７９】
ＰＪ接続切断要求部４３ｂは、後述する通信制御部３８からの指令に基づいて、自装置以外のプロジェクターＰＪ（ＰＪ２、ＰＪ３）に対して、コンピューターＰＣの装置ＩＤ「ＰＣ１」および接続切断要求を送信する。反対に、自装置以外のプロジェクターＰＪから、コンピューターＰＣの装置ＩＤ「ＰＣ１」および接続切断要求を受信すると、ＰＪ接続切断要求部４３ｂは、受信した装置ＩＤに対応するコンピューターＰＣ１に自身の装置ＩＤおよび切断完了通知を送信する。
【００８０】
通信制御部３８は、ＰＣ接続要求部４２ａによりコンピューターＰＣから自装置以外のプロジェクターＰＪの装置ＩＤが受信されたか否かを判別するＩＤ情報判別部６１と、ＰＣ接続要求部４２ａによりコンピューターＰＣから受信した装置ＩＤからグループ情報を生成するグループ情報生成部６２と、後述するグループ情報記憶部３２にグループ情報が記憶されているかを判別するグループ情報判別部６３と、を有している。また、グループ情報判別部６３は、グループ情報に複数のコンピューターＰＣの装置ＩＤが含まれているか、および否かも判別する。これは、任意のコンピューターＰＣから接続切断要求を受けた際、接続状態にある全てのコンピューターＰＣおよびプロジェクターＰＪに対して接続切断要求を行うためである。
【００８１】
グループ情報生成部６２は、ＰＣ接続要求部４２ａによりコンピューターＰＣから装置ＩＤを受信した場合であって、受信した装置ＩＤに自装置以外のプロジェクターＰＪの装置ＩＤが含まれていた場合、コンピューターＰＣの装置ＩＤ「ＰＣ１）と、自装置以外のプロジェクターＰＪ（例えばＰＪ２、ＰＪ３）の装置ＩＤ「ＰＪ２」、「ＰＪ３」と、自装置の装置ＩＤ「ＰＪ１」と、にグループＩＤ「Ａ」を付してグループ化し、グループ情報「グループＡ：ＰＣ１，ＰＪ１，ＰＪ２，ＰＪ３」を生成する。また、グループ情報生成部６２は、さらにＰＣ接続要求部４２ａにより他のコンピューターＰＣから装置ＩＤを受信すると、生成したクループ情報に、当該他のコンピューターＰＣの装置ＩＤ「ＰＣ２」をグループ情報に追加する。この場合、グループ情報は、「グループＡ：ＰＣ１，ＰＣ２，ＰＪ１，ＰＪ２，ＰＪ３」となる。
【００８２】
なお、グループ情報生成部６２は、グループ情報がグループ情報記憶部３２に記憶されていない場合に限り、グループ情報を生成する。つまり、本実施形態においてグループ情報記憶部３２は、複数のグループ情報を記憶できないようになっている。また、グループ情報がグループ情報記憶部３２に記憶されていない場合でも、ＰＣ接続要求部４２ａによりコンピューターＰＣから受信した装置ＩＤに自装置以外のプロジェクターＰＪの装置ＩＤが含まれてなかった場合、グループ情報を生成しない。
【００８３】
グループ情報記憶部３２は、グループ情報生成部６２によって生成されたグループ情報を書き換え可能に記憶する。なお、グループ情報記憶部３２に記憶されたグループ情報は、ＰＣ接続切断要求部４３ａおよびＰＪ接続切断要求部４３ｂから接続切断要求を受信した時点で、消去されるようになっている。
【００８４】
中央制御部３４、操作部３５、画像処理部３３、投写制御部３６、投写光学系３７は、第１実施形態と同様の構成を備えている。
【００８５】
次に、図１５を参照し、本実施形態のプロジェクターＰＪ１の接続処理（接続確立方法）について説明する。プロジェクターＰＪ（通信制御部３８）は、ＰＣ接続要求部４２ａにより、任意のコンピューターＰＣ（ＰＣ１）から装置ＩＤおよび接続要求を受信すると（Ｓ０１）、接続要求を受信したコンピューターＰＣ１に対して自身の装置ＩＤおよび接続完了通知を送信する（Ｓ０２）。続いて、グループ情報判別部６３によりグループ情報記憶部３２にグループ情報が記憶されているか否かを判別する（Ｓ０３）。
【００８６】
グループ情報が記憶されていない場合（Ｓ０３；ＮＯ）、さらに、ＩＤ情報判別部６１により、コンピューターＰＣ１から自装置以外のプロジェクターＰＪの装置ＩＤが受信されたか否かを判別する（Ｓ０４）。自装置以外のプロジェクターＰＪの装置ＩＤが受信されなかった場合（Ｓ０４；ＮＯ）、接続処理を終了する（Ｓ０５）。これまで辿ったフローをＣＡＳＥ１とする（図１６（ａ）参照）。
【００８７】
一方、コンピューターＰＣ１から自装置以外のプロジェクターＰＪの装置ＩＤ（例えば「ＰＪ２」、「ＰＪ３」）が受信された場合（Ｓ０４；ＹＥＳ）、グループ情報生成部６２により、コンピューターＰＣ１とプロジェクターＰＪ１、ＰＪ２と自装置の装置ＩＤにグループＩＤ「Ａ」を付して、グループ情報「グループＡ：ＰＣ１、ＰＪ１、ＰＪ２、ＰＪ３」を生成し、グループ情報記憶部３２に記憶して（Ｓ０６）、接続処理を終了する（Ｓ０５）。これまで辿ったフローをＣＡＳＥ２とする（図１６（ｂ）参照）。
【００８８】
グループ情報が記憶されていた場合（Ｓ０３；ＹＥＳ）、グループ情報生成部６２により、記憶されていたグループ情報にコンピューターＰＣ１の装置ＩＤを加える（Ｓ０７）。さらに、ＩＤ情報判別部６１により、コンピューターＰＣ１から自装置以外のプロジェクターＰＪの装置ＩＤが受信されたか否かを判別する（Ｓ０８）。自装置以外のプロジェクターＰＪの装置ＩＤが受信されなかった場合（Ｓ０８；ＮＯ）、グループ情報に含まれた全ての装置ＩＤに対応する自装置以外のプロジェクターＰＪ２、ＰＪ３に対して、コンピューターＰＣ１の装置ＩＤと接続要求を送信し（Ｓ０９）、接続処理を終了する（Ｓ０５）。これまで辿ったフローをＣＡＳＥ３とする（図１６（ｃ）参照）。
【００８９】
一方、コンピューターＰＣ１から自装置以外のプロジェクターＰＪの装置ＩＤ（例えば「ＰＪ２」）が受信された場合（Ｓ０８；ＹＥＳ）、受信した装置ＩＤに対応するプロジェクターＰＪ２を除くプロジェクターＰＪ３に対してのみ、コンピューターＰＣ１の装置ＩＤと接続要求を送信し（Ｓ１０）、接続処理を終了する（Ｓ０５）。これまで辿ったフローをＣＡＳＥ４とする（図１６（ｄ）参照）。
【００９０】
続いて、図１６を参照し、コンピューターＰＣ１とプロジェクターＰＪ１、ＰＪ２およびＰＪ３との間の接続動作について説明する。同図は、図１５のＣＡＳＥ１、ＣＡＳＥ２、ＣＡＳＥ３およびＣＡＳＥ４における各装置の動作を示している。また、図中において、実線で示された矢印は「接続要求」を、点線で示された矢印は「接続完了通知」を示している。
【００９１】
図１６（ａ）に示すように、グループ情報が記憶されていない場合、ＣＡＳＥ１において、コンピューターＰＣ１からプロジェクターＰＪ１に装置ＩＤ「ＰＣ１」および接続要求が送信されると、プロジェクターＰＪ１は、コンピューターＰＣ１に装置ＩＤ「ＰＪ１」および接続完了通知を送信する。また、図１６（ｂ）に示すように、ＣＡＳＥ２において、コンピューターＰＣ１から、プロジェクターＰＪ１、ＰＪ２およびＰＪ３に装置ＩＤ「ＰＣ１）、「ＰＪ１」、「ＰＪ２」、「ＰＪ３」および接続要求が送信された場合、プロジェクターＰＪ１、ＰＪ２およびＰＪ３は、それぞれコンピューターＰＣ１に自装置の装置ＩＤおよび接続完了通知を送信する。このとき、プロジェクターＰＪ１、ＰＪ２およびＰＪ３では、「グループＡ：ＰＣ１、ＰＪ１、ＰＪ２、ＰＪ３」というグループ情報が生成・記憶される。
【００９２】
また、図１６（ｃ）に示すように、グループ情報「グループＡ：ＰＣ１、ＰＪ１、ＰＪ２、ＰＪ３」が記憶されている場合、ＣＡＳＥ３において、コンピューターＰＣ１からプロジェクターＰＪ１に装置ＩＤ「ＰＣ１」および接続要求が送信された場合、プロジェクターＰＪ１は、コンピューターＰＣ１に装置ＩＤ「ＰＪ１」および接続完了通知を送信すると共に、グループに属しているプロジェクターＰＪ２およびＰＪ３に対して、装置ＩＤ「ＰＣ１」および接続要求を送信する。プロジェクターＰＪ１から装置ＩＤ「ＰＣ１」および接続要求を受けたプロジェクターＰＪ２およびＰＪ３は、それぞれコンピューターＰＣ１に対して装置ＩＤ「ＰＪ２」または「ＰＪ３」および接続完了通知をそれぞれ送信する。
【００９３】
これは、ＣＡＳＥ２において、グループ情報が生成された後、他のコンピューターＰＣ（例えばＰＣ２）が、プロジェクターＰＪ１に接続要求を送信した場合のフローと同様となる。すなわち、２台目以降に接続したコンピューターＰＣは、グループ内の任意の１台のプロジェクターＰＪ（例えばＰＪ１）のみに接続要求を行えば、グループ内の全てのプロジェクターＰＪ（例えばＰＪ２、ＰＪ３）に接続することができる。
【００９４】
図１６（ｄ）に示すように、ＣＡＳＥ４において、コンピューターＰＣ１からプロジェクターＰＪ１、ＰＪ２に装置ＩＤ「ＰＣ１）、「ＰＪ１」、「ＰＪ２」および接続要求が送信された場合、プロジェクターＰＪ１は、コンピューターＰＣ１に装置ＩＤ「ＰＣ１」および接続完了通知を送信すると共に、コンピューターＰＣ１から装置ＩＤが送信されたプロジェクターＰＪ２には接続要求を送信せず、装置ＩＤが送信されなかったプロジェクターＰＪ３に対してのみ、装置ＩＤ「ＰＣ１」および接続要求を送信する。同様に、プロジェクターＰＪ２は、コンピューターＰＣ１に装置ＩＤ「ＰＪ２」および接続完了通知を送信すると共に、コンピューターＰＣ１から装置ＩＤが送信されたプロジェクターＰＪ１には接続要求を送信せず、装置ＩＤが送信されなかったプロジェクターＰＪ３に対してのみ、装置ＩＤ「ＰＣ１」および接続要求を送信する。このように、プロジェクターＰＪ１およびプロジェクターＰＪ２に対する重複した接続要求を防ぐことができる。
【００９５】
しかし、この場合プロジェクターＰＪ３に対する他のプロジェクターＰＪ（ＰＪ１、ＰＪ２）からの接続要求が重複するため、グループ内のプロジェクターＰＪに優先順位を付けて、グループ情報が記憶されている場合であって、コンピューターＰＣから同時に複数のプロジェクターＰＪに接続要求が送信された場合、優先順位の高いプロジェクターＰＪからのみ、他のプロジェクターＰＪに対して接続要求を送信するようにしても良い。
【００９６】
次に、図１７を参照して、プロジェクターＰＪ（ＰＪ１）の接続切断処理について説明する。プロジェクターＰＪ１（通信制御部３８）は、ＰＣ接続切断要求部４３ａにより、任意のコンピューターＰＣ（ＰＣ１）から装置ＩＤおよび接続切断要求を受信すると（Ｓ１１）、切断要求を受信したコンピューターＰＣ１に対して自身の装置ＩＤおよび接続完了通知を送信する（Ｓ１２）。続いて、グループ情報判別部６３によりグループ情報記憶部３２にグループ情報が記憶されているか否かを判別する（Ｓ１３）。グループ情報が記憶されていなかった場合（Ｓ１３；ＮＯ）、切断処理を終了する（Ｓ１４）。これまで辿ったフローをＣＡＳＥ５とする（図１９（ａ）参照）。
【００９７】
一方、グループ情報が記憶されていた場合（Ｓ１３；ＹＥＳ）、さらに、グループ情報判別部６３により、グループ情報内に複数のコンピューターＰＣの装置ＩＤが含まれているか否かを判別する（Ｓ１５）。複数のコンピューターＰＣの装置ＩＤが含まれていない場合（Ｓ１５；ＮＯ）、グループ情報に含まれた全ての装置ＩＤに対応する自装置以外のプロジェクターＰＪ２、ＰＪ３に対して、コンピューターＰＣ１の装置ＩＤと接続切断要求を送信し（Ｓ１６）、グループ情報記憶部３２に記憶したグループ情報を消去して（Ｓ１７）、切断処理を終了する（Ｓ１４）。これまで辿ったフローをＣＡＳＥ６とする（図１９（ｂ）参照）。
【００９８】
グループ情報内に複数のコンピューターＰＣの装置ＩＤが含まれていた場合（Ｓ１５；ＹＥＳ）、切断要求を受信したコンピューターＰＣ１以外のコンピューターＰＣ２に対して、自身の装置ＩＤと接続切断要求を送信する（Ｓ１８）。そして、グループ情報に含まれている全ての装置ＩＤに対応する自装置以外のプロジェクターＰＪ２、ＰＪ３に対して、コンピューターＰＣ１の装置ＩＤと接続切断要求を送信し（Ｓ１６）、グループ情報記憶部３２に記憶したグループ情報を消去して（Ｓ１７）、切断処理を終了する（Ｓ１４）。これまで辿ったフローをＣＡＳＥ７とする（図１９（ｃ）参照）。
【００９９】
一方、図１８に示すように、プロジェクターＰＪ（通信制御部３８）は、自装置以外のプロジェクターＰＪから装置ＩＤ（例えば「ＰＣ１」、「ＰＣ２」）および接続切断要求を受信すると（Ｓ１９）、受信した装置ＩＤに対応する全てのコンピューターＰＣ（ＰＣ１，ＰＣ２）に対して、自身の装置ＩＤおよび切断完了通知を送信する（Ｓ２０）。そして、グループ情報記憶部３２に記憶したグループ情報を消去して（Ｓ２１）、切断処理を終了する（Ｓ２２）。
【０１００】
続いて、図１９を参照し、コンピューターＰＣ１、ＰＣ２とプロジェクターＰＪ１、ＰＪ２およびＰＪ３との間の切断動作について説明する。同図は、ＣＡＳＥ５、ＣＡＳＥ６およびＣＡＳＥ７における各装置の動作を示している。また、図中において、実線で示された矢印は「接続切断要求」を、点線で示された矢印は「切断完了通知」を示している。
【０１０１】
図１９（ａ）に示すように、グループ情報が記憶されていない場合、ＣＡＳＥ５において、コンピューターＰＣ１からプロジェクターＰＪ１に装置ＩＤ「ＰＣ１」および接続切断要求が送信されると、プロジェクターＰＪ１は、コンピューターＰＣ１に装置ＩＤ「ＰＪ１」および切断完了通知を送信する。
【０１０２】
図１９（ｂ）に示すように、グループ情報が記憶されている場合であって、グループ情報に複数のコンピューターＰＣのＩＤが含まれていなかった場合（例えば、グループ情報「グループＡ：ＰＣ１、ＰＪ１、ＰＪ２、ＰＪ３」）、ＣＡＳＥ６において、コンピューターＰＣ１からプロジェクターＰＪ１に装置ＩＤ「ＰＣ１」および接続切断要求が送信されると、プロジェクターＰＪ１は、コンピューターＰＣ１に対して装置ＩＤ「ＰＣ１」および切断完了通知を送信すると共に、プロジェクターＰＪ２およびＰＪ３に対して、装置ＩＤ「ＰＣ１」および接続切断要求を送信する。装置ＩＤ「ＰＣ１」および接続切断要求を受けたプロジェクターＰＪ２およびＰＪ３は、それぞれコンピューターＰＣ１に対して装置ＩＤ「ＰＣ２」または「ＰＪ３」および切断完了通知を送信する。
【０１０３】
一方、図１９（ｃ）に示すように、グループ情報に複数のコンピューターＰＣの装置ＩＤが含まれていた場合（例えば、グループ情報「グループＡ：ＰＣ１、ＰＣ２、ＰＪ１、ＰＪ２、ＰＪ３」）、ＣＡＳＥ７において、コンピューターＰＣ１からプロジェクターＰＪ１に装置ＩＤ「ＰＣ１」および接続切断要求が送信されると、プロジェクターＰＪ１は、コンピューターＰＣ１に装置ＩＤ「ＰＪ１」および切断完了通知を送信すると共に、接続切断要求を受けていないコンピューターＰＣ２に対して、装置ＩＤ「ＰＪ１」および接続切断要求を送信する。装置ＩＤ「ＰＪ１」および接続切断要求を受信したコンピューターＰＣ２は、プロジェクターＰＪ１に対して、切断完了通知を送信する。また、プロジェクターＰＪ１は、プロジェクターＰＪ２およびＰＪ３に対して装置ＩＤ「ＰＣ１」、「ＰＣ２」および接続切断要求を送信する。装置ＩＤ「ＰＣ１」、「ＰＣ２」および接続切断要求を受信したプロジェクターＰＪ２およびＰＪ３は、コンピューターＰＣ１、ＰＣ２に対して装置ＩＤ「ＰＪ２」または「ＰＪ３」および切断完了通知をそれぞれ送信する。
【０１０４】
このように、プロジェクターＰＪにグループ情報が記憶され、複数のコンピューターＰＣと複数のプロジェクターＰＪが接続状態にある場合、任意の１台のコンピューターＰＣから、任意の１台のプロジェクターＰＪに接続切断要求を送信すれば、グループ内の全ての装置間の接続を切断することができる。
【０１０５】
以上、これまで、説明してきたプロジェクターシステムＳＹによれば、各プロジェクターＰＪが、グループ情報として、グループ内の複数のプロジェクターＰＪおよびコンピューターＰＣの装置ＩＤを記憶しておくため、コンピューターＰＣは、グループ内の任意の１台のプロジェクターＰＪに接続要求を送信すれば、当該任意のプロジェクターＰＪが、記憶している装置ＩＤを参照し、コンピューターＰＣの代わりに自装置以外のプロジェクターＰＪに接続要求を送信するため、容易に接続を確立することができる。特に複数のコンピューターＰＣが、ネットワークＮＷに接続された複数のプロジェクターＰＪに接続させたい場合に、容易に接続を確立することができ、利便性が良い。
【０１０６】
また、上記のプロジェクターシステムＳＹによれば、一度接続を確立したグループ接続を維持したまま、所望のプロジェクターＰＪやコンピューターＰＣを追加接続させたり、切断させたりすることができる。
【０１０７】
なお、上記の実施形態では、１台目のコンピューターＰＣは各プロジェクターＰＪに対して接続要求を行う必要があるとしたが、予め各プロジェクターＰＪにグループ情報を記憶させておく構成としても良い。この構成によれば、コンピューターＰＣから、グループ化させる各プロジェクターＰＪに対して接続要求を行う必要がなく、１台目のコンピューターＰＣから、簡単にグループ化された複数のプロジェクターＰＪに接続することができる。さらに、１台のプロジェクターＰＪにグループ情報を記憶させておき、当該プロジェクターＰＪが任意のコンピューターＰＣから接続要求を受信した際に、当該プロジェクターＰＪが自装置以外のプロジェクターＰＪにグループ情報を送信する構成にすれば、グループ情報を記憶させておくプロジェクターＰＪは１台で済むため、接続をより簡単にすることができる。
【０１０８】
また、上記の実施形態では、コンピューターＰＣ１からプロジェクターＰＪ１に接続切断要求を行った場合、プロジェクターＰＪ１がグループ内の全てのコンピューターＰＣおよびプロジェクターＰＪに対して接続切断要求を行うとしたが、コンピューターＰＣ１による切断動作に伴い、コンピューターＰＣ１からグループ内の全コンピューターＰＣとプロジェクターＰＪ１に接続切断要求を出し、プロジェクターＰＪ１はグループ内の自装置以外のプロジェクターＰＪに対して接続切断要求を出すようにしても良い。
【０１０９】
なお、最初に接続を確立したコンピューターＰＣとプロジェクターＰＪとをメインのコンピューターＰＣとプロジェクターＰＪとし、後から接続を確立したコンピューターＰＣとプロジェクターＰＪと区別して記憶しても良い。この構成によれば、メインのコンピューターＰＣから切断要求を行った場合のみ、グループ内の全ての接続を解除するような構成としたり、メインのプロジェクターＰＪに接続要求を行った場合のみ、グループ内の全てのプロジェクターＰＪとの接続を確立するような構成とすることで、メインのコンピューターＰＣおよびプロジェクターＰＪにより装置間の接続状態を管理することができる。
【０１１０】
また、上記の実施形態では、透過型液晶表示方式を採用しているが、反射型液晶表示方式、ＣＲＴ表示方式やライトスイッチ表示方式（マイクロミラーデバイス方式）など、プロジェクターＰＪの表示原理は問わない。その他、本発明の要旨を逸脱しない範囲で、適宜変更が可能である。
【符号の説明】
【０１１１】
１：通信部  ２：制御部  ３：記憶部  ４：表示部  ５：操作部  １１：接続要求部  １２：切断要求部  １３：グループ情報送信  １４：グループ情報取得部  １８：グループ情報生成部  １９：グループ情報記憶領域  ３２：グループ情報記憶部  ＮＷ：ネットワーク  ＰＣ：コンピューター  ＰＪ：プロジェクター  ＳＹ：プロジェクターシステム
【図１】
0005617648.tif 000002
【図２】
0005617648.tif 000003
【図３】
0005617648.tif 000004
【図４】
0005617648.tif 000005
【図５】
0005617648.tif 000006
【図６】
0005617648.tif 000007
【図７】
0005617648.tif 000008
【図８】
0005617648.tif 000009
【図９】
0005617648.tif 000010
【図１０】
0005617648.tif 000011
【図１１】
0005617648.tif 000012
【図１２】
0005617648.tif 000013
【図１３】
0005617648.tif 000014
【図１４】
0005617648.tif 000015
【図１５】
0005617648.tif 000016
【図１６】
0005617648.tif 000017
【図１７】
0005617648.tif 000018
【図１８】
0005617648.tif 000019
【図１９】
0005617648.tif 000020